【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
それぞれの初期数の電力クレジットが割り当てられる、少なくとも第１の計算ユニット（ＣＵ）および第２のＣＵと、
電力マネージャと、を備え、
前記第１のＣＵおよび前記第２のＣＵの各々は、少なくとも２つの離散電力性能状態（Ｐ状態）間を交番して、各々の電力クレジットの現在の数に基づく電力標的である平均電力に対応する仮想Ｐ状態を維持するように構成されており、
前記第１のＣＵによって引き込まれる電流の量が、所与の電流制限を超えるという検出に応じて、前記電力マネージャは、前記第１のＣＵに現在割り付けられている電力クレジットの数を削減するように構成される、マイクロプロセッサ。
【請求項２】
前記第１のＣＵに現在割り付けられている前記電力クレジットの数は、前記第１のＣＵに割り付けられる初期数の電力クレジットを所与の数の電力クレジットだけ超えており、前記所与の数の電力クレジットは前記第２のＣＵから借用されている、請求項１に記載のマイクロプロセッサ。
【請求項３】
前記所与の電流制限は、前記第１のＣＵによって利用される電圧調整器の熱設計電流（ＴＤＣ）値であり、前記第１のＣＵは、第１の電圧面を利用し、前記第２のＣＵは、前記第１の電圧面とは異なる第２の電圧面を利用する、請求項１に記載のマイクロプロセッサ。
【請求項４】
前記電力マネージャは、前記第１のＣＵに現在割り付けられている電力クレジットの数を削減するために、前記所与の数の電力クレジットを前記第２のＣＵに戻すように構成される、請求項２に記載のマイクロプロセッサ。
【請求項５】
前記第１のＣＵは、
前記第２のＣＵから借用された電力クレジットがないよりも高い仮想電力性能状態（Ｐ状態）であって、より高い平均電力およびより高い電力標的に対応する仮想Ｐ状態で、前記第２のＣＵから借用された電力クレジットを伴って動作し、
少なくとも２つの異なる離散Ｐ状態間で交番させることによって、変化する作業負荷にもかかわらず、前記より高い仮想Ｐ状態を維持するように構成される、請求項１に記載のマイクロプロセッサ。
【請求項６】
前記第１のＣＵに現在割り付けられている前記電力クレジットの数は、前記第２のＣＵから借用された電力クレジットの数だけ、前記第１のＣＵに割り付けられる初期数の電力クレジットを超え、前記第１のＣＵによって引き込まれる前記電流の量が前記制限を超えるという検出に応じて、前記電力マネージャは、前記第２のＣＵから借用された、全てよりも少ない電力クレジットを、前記第２のＣＵに戻すように構成される、請求項１に記載のマイクロプロセッサ。
【請求項７】
前記第２のＣＵの活動レベルが所与の閾値を下回るという検出に応じて、前記電力マネージャはさらに、
少なくとも部分的に前記第１のＣＵの活動レベルに基づいて、前記第１のＣＵに寄付する電力クレジットの数を判定し、
前記第１のＣＵによって使用するために、前記第２のＣＵから、それぞれの数の電力クレジットを借用するように構成される、請求項４に記載のマイクロプロセッサ。
【請求項８】
前記第２のＣＵの活動レベルが所与の閾値を越えて上昇したという検出に応じて、前記電力マネージャはさらに、
少なくとも部分的に前記第２のＣＵの前記活動レベルに基づいて、前記第１のＣＵが前記第２のＣＵに戻すための電力クレジットの数を判定し、
前記第１のＣＵに、以前に借用した電力クレジットを前記第２のＣＵへ返させるように構成される、請求項７に記載のマイクロプロセッサ。
【請求項９】
ダイ上の効率的な電力伝達のための方法であって、
それぞれの初期数の電力クレジットが割り当てられる、第１の計算ユニット（ＣＵ）および第２のＣＵのうちの少なくとも１つの活動レベルを測定することと、
前記第１のＣＵおよび前記第２のＣＵの各々において、少なくとも２つの離散電力性能状態（Ｐ状態）間を交番して、各々の電力クレジットの現在の数に基づく電力標的である平均電力に対応する、各々の仮想Ｐ状態を維持することと、
所与の前記第１のＣＵによって引き込まれる電流の量が、所与の電流制限を超えるという検出に応じて、前記第１のＣＵに現在割り付けられている電力クレジットの数を削減することと、を含む、方法。
【請求項１０】
前記第１のＣＵに現在割り付けられている前記電力クレジットの数は、前記第１のＣＵに割り付けられる初期数の電力クレジットを所与の数の電力クレジットだけ超え、前記所与の数の電力クレジットは、前記第２のＣＵから借用されている、請求項９に記載の方法。
【請求項１１】
前記所与の電流制限は、前記第１のＣＵによって利用される電圧調整器の熱設計電流（ＴＤＣ）値であり、前記第１のＣＵは、第１の電圧面を利用し、前記第２のＣＵは、前記第１の電圧面とは異なる第２の電圧面を利用する、請求項９に記載の方法。
【請求項１２】
前記第１のＣＵに現在割り付けられている電力クレジットの数を削減するために、前記所与の数の電力クレジットを前記第２のＣＵに戻すことをさらに含む、請求項１０に記載の方法。
【請求項１３】
前記第１のＣＵがそれぞれの初期数の電力クレジットのみを使用した場合に利用されるＰ状態よりも高い仮想Ｐ状態であって、より高い平均電力およびより高い電力標的に対応する仮想Ｐ状態で、前記第１のＣＵを動作させることと、
少なくとも２つの異なる離散Ｐ状態間で交番させることによって、変化する作業負荷にもかかわらず、前記より高い仮想Ｐ状態を維持することと、をさらに含む、請求項１２に記載の方法。
【請求項１４】
前記第１のＣＵに現在割り付けられている前記電力クレジットの数は、前記第２のＣＵから借用されている電力クレジットの数だけ、前記第１のＣＵに割り付けられる初期数の電力クレジットを超え、前記第１のＣＵによって引き込まれる前記電流の量が前記制限を超えるという検出に応じて、前記方法は、前記第２のＣＵから借用された、全てよりも少ない電力クレジットを、前記第２のＣＵに戻すことを含む、請求項９に記載の方法。
【請求項１５】
第１のＣＵの活動レベルが所与の閾値を下回るという検出に応じて、前記方法はさらに、
少なくとも部分的に前記第１のＣＵの活動レベルに基づいて、前記第１のＣＵに寄付する電力クレジットの数を判定することと、
前記第１のＣＵによって使用するために、前記第２のＣＵから、それぞれの数の電力クレジットを借用することと、を含む、請求項１２に記載の方法。
【請求項１６】
前記第２のＣＵの活動レベルが所与の閾値を越えて上昇したという検出に応じて、前記方法はさらに、
少なくとも部分的に前記第２のＣＵの前記活動レベルに基づいて、前記第１のＣＵが前記第２のＣＵに戻すための電力クレジットの数を判定することと、
前記第１のＣＵに、以前に借用した電力クレジットを前記第２のＣＵへ返させることと、を含む、請求項１５に記載の方法。
【請求項１７】
ダイの上で電力を効率的に伝達するように動作可能である、プログラム命令を記憶する、コンピュータ可読記憶媒体であって、前記プログラム命令は、
それぞれの初期数の電力クレジットが割り当てられる、第１の計算ユニット（ＣＵ）および第２のＣＵのうちの少なくとも１つの活動レベルを測定し、
前記第１のＣＵおよび前記第２のＣＵの各々において、少なくとも２つの離散電力性能状態（Ｐ状態）間を交番して、各々の電力クレジットの現在の数に基づく電力標的である平均電力に対応する、各々の仮想Ｐ状態を維持し、
所与の前記第１のＣＵによって引き込まれる電流の量が、所与の電流制限を超えるという検出に応じて、前記第１のＣＵに現在割り付けられている電力クレジットの数を削減するように実行可能である、コンピュータ可読記憶媒体。
【請求項１８】
前記第１のＣＵに現在割り付けられている前記電力クレジットの数は、前記第１のＣＵに割り付けられる初期数の電力クレジットを所与の数の電力クレジットだけ超え、前記所与の数の電力クレジットは、前記第２のＣＵから借用されている、請求項１７に記載の記憶媒体。
【請求項１９】
前記所与の電流制限は、前記第１のＣＵによって利用される電圧調整器の熱設計電流（ＴＤＣ）値であり、前記第１のＣＵは、第１の電圧面を利用し、前記第２のＣＵは、前記第１の電圧面とは異なる第２の電圧面を利用する、請求項１８に記載の記憶媒体。
【請求項２０】
前記プログラム命令はさらに、前記第１のＣＵに現在割り付けられている電力クレジットの数を削減するために、前記所与の数の電力クレジットを前記第２のＣＵに戻すように実行可能である、請求項１８に記載の記憶媒体。